(57)【要約】【課題】ユーザの行動予定と、ユーザの指示による情報処理装置の実行結果の概略とを直ちに把握する。【解決手段】各種アプリ部（５）は、ユーザからの指示に基づき実行した結果により作成した画像から、サムネイルデータを作成して記憶部（８）に記憶する。表示制御部（３）は、ユーザが指定した時間帯に該当するスケジュールデータおよび結果概略データを記憶部（８）から収集し、表示部（２）を介して表示出力する。【選択図】図１
2014071537.tif 000002
【特許請求の範囲】
【請求項１】
情報処理装置であって、
情報を記憶する記憶部を備えており、
該記憶部は、或る時点と、当該時点でのユーザの行動予定を示す情報とを対応付けたスケジュールデータを記憶しており、
前記ユーザからの指示により、或る時点にて前記情報処理装置が実行した結果を概略的に示す情報と当該時点とを対応付けた結果概略データを作成して、前記記憶部に記憶する結果概略データ作成手段と、
前記ユーザが指定した時間帯に該当するスケジュールデータおよび結果概略データを前記記憶部から収集して出力する予定結果収集手段とを備えることを特徴とする情報処理装置。
【請求項２】
前記ユーザからの指示により、前記スケジュールデータの何れかと、前記結果概略データの何れかとを関連付けたリンクデータを作成して、前記記憶部に記憶するリンク作成手段をさらに備えており、
前記予定結果収集手段は、収集されたスケジュールデータおよび結果概略データの少なくとも一方に該当するリンクデータをさらに収集して出力することを特徴とする請求項１に記載の情報処理装置。
【請求項３】
前記予定結果収集手段は、収集した結果概略データのうち、設定された条件に非該当である複数の結果概略データを、１つの結果概略データに簡略化して出力することを特徴とする請求項１または２に記載の情報処理装置。
【請求項４】
前記予定結果収集手段は、収集した結果概略データのうち、設定された条件に非該当であるものについて、出力を省略することを特徴とする請求項１または２に記載の情報処理装置。
【請求項５】
或る時点と、当該時点でのユーザの行動予定を示す情報とを対応付けたスケジュールデータが記憶された記憶部を備える情報処理装置の制御方法であって、
前記ユーザからの指示により、或る時点にて前記情報処理装置が実行した結果を概略的に示す情報と当該時点とを対応付けた結果概略データを作成して、前記記憶部に記憶する結果概略データ作成ステップと、
前記ユーザが指定した時間帯に該当するスケジュールデータおよび結果概略データを前記記憶部から収集して出力する予定結果収集ステップとを含むことを特徴とする情報処理装置の制御方法。
【発明の詳細な説明】
【技術分野】
【０００１】
本発明は、情報処理装置に関するものであり、特に、携帯電話機、スマートフォン、電子手帳などの携帯型情報端末に好適なものである。
【背景技術】
【０００２】
近年では、紙媒体のスケジュール帳（手帳）が備える機能を、スマートフォン、あるいはＰＣ（Personal Computer）に実行させるためのスケジュール管理アプリケーションソフトウェア（以下、「スケジュールアプリ」と略称する。）が広く利用されるようになっている。
【０００３】
特に、紙媒体のスケジュール帳（手帳）と比較して、スマートフォン、あるいはＰＣでは、多数のデータ（デジタルカメラで撮影された画像など）の記憶が可能である。このために、スケジュールアプリは、将来の予定を書き込んで、事前に見返すことでスケジュールを管理する備忘録としての用途に制限されず、スケジュール（行動予定）に従って行動した実際の記録（データ）などを電子化して、記憶・管理するために活用されるようになっている。
【０００４】
具体的には、電子化した各種データをスケジュール情報に関連付けて記録・管理し、また、所望のデータをスケジュール情報に基づいて検索する方法が従来技術として知られている。
【０００５】
特許文献１には、スケジュール情報に関連付けて撮影画像のデータを記録、管理、および検索を行う情報機器が開示されている。
【０００６】
特許文献２には、撮影時の日付情報を含む撮影画像データのうち、カレンダー情報に含まれる特定の日に対して設定されたスケジュールと同じ日付情報を含む撮影画像データを、内蔵メモリに記憶させることができるカメラが開示されている。
【０００７】
特許文献３には、文書ファイル群中のファイルに対して編集、印刷等の処理が発生したことを検出すると、その発生した処理の種別と時刻及びそのファイルを特定する情報をリンク情報ファイルに登録しておき、時間帯を指定して検索させると、当該時間帯に処理が発生したファイルをリンク情報ファイルより検索して、該当するファイルの一覧を表示する情報処理方法および装置が開示されている。
【先行技術文献】
【特許文献】
【０００８】
【特許文献１】特開２００８−０７１３５８号公報（２００８年０３月２７日公開）
【特許文献２】特開２００９−２６７６３２号公報（２００９年１１月１２日公開）
【特許文献３】特開平０８−３１４９５４号公報（１９９６年１１月２９日公開）
【発明の概要】
【発明が解決しようとする課題】
【０００９】
ユーザは、スケジュール通りに実行した場合、或る時間帯におけるスケジュール情報と、実行結果の情報とは互いに関連することになる。また、ユーザは、スケジュールから遅延して実行した場合、予定の時間帯と、実行結果の時間帯とのずれを参照することにより、予定からどの程度遅延したかを把握することができる。
【００１０】
このように、ユーザにとって、或る時間帯におけるスケジュール情報と、当該時間帯における実行結果の情報とを同時に参照できることが、上記スケジュール情報と上記実行結果の情報との関連性を直ちに把握できるので望ましい。
【００１１】
これに対し、特許文献１では、スケジュール情報を表示するときに、スケジュールが設定された時間帯に撮影された撮影画像の有無を表示するのみである。このため、上記関連性を直ちに把握することが困難である。
【００１２】
本発明は、上記の問題点に鑑みてなされたものであり、その目的は、ユーザの行動予定と、ユーザの指示による情報処理装置の実行結果の概略とを直ちに把握できる情報処理装置などを提供することにある。
【課題を解決するための手段】
【００１３】
本発明の一態様に係る情報処理装置は、情報を記憶する記憶部を備える情報処理装置であって、上記課題を解決するために、該記憶部は、或る時点と、当該時点でのユーザの行動予定を示す情報とを対応付けたスケジュールデータを記憶しており、前記ユーザからの指示により、或る時点にて前記情報処理装置が実行した結果を概略的に示す情報と当該時点とを対応付けた結果概略データを作成して、前記記憶部に記憶する結果概略データ作成手段と、前記ユーザが指定した時間帯に該当するスケジュールデータおよび結果概略データを前記記憶部から収集して出力する予定結果収集手段とを備えることを特徴としている。
【発明の効果】
【００１４】
本発明の一態様によれば、ユーザからの指示によるスケジュールデータが記憶部に記憶され、それから、前記ユーザからの指示により、結果概略データが作成されて前記記憶部に記憶され、そして、前記ユーザが指定した時間帯に該当するスケジュールデータおよび結果概略データが前記記憶部から収集されて出力されるので、この出力結果を参照することにより、前記ユーザは、前記時間帯における当該ユーザの行動予定と、前記時間帯における当該情報処理装置の実行結果の概略とを直ちに把握できるという効果を奏する。
【図面の簡単な説明】
【００１５】
【図１】本発明の一態様に係るスマートフォンの要部構成の例を示す機能ブロック図である。
【図２】スケジュールアプリを実行している上記スマートフォンにおいて、或る１日のスケジュールを表示した表示画面の一例を示す図である。
【図３】上記スマートフォンにおいて、各種アプリを起動してからサムネイルデータを保存するまでの動作の流れを示すフローチャートである。
【図４】上記スマートフォンにおいて、スケジュールアプリを起動してから、サムネイルとスケジュール情報とを表示するまでの動作の流れを示すフローチャートである。
【図５】スケジュールアプリを実行している上記スマートフォンにおいて、或る１日のスケジュールを表示した表示画面の別の例を示す図である。
【図６】スケジュールアプリを実行している上記スマートフォンにおいて、或る１日のスケジュールを表示した表示画面のさらに別の例を示す図である。
【図７】スケジュールアプリを実行している上記スマートフォンにおいて、或る１日のスケジュールを表示した表示画面のさらに別の例を示す図である。
【図８】スケジュールアプリを実行している上記スマートフォンにおいて、或る１日のスケジュールを表示した表示画面の他の例を示す図である。
【図９】スケジュールアプリを実行している上記スマートフォンにおいて、或る１週間のスケジュールを表示した表示画面の一例を示す図である。
【発明を実施するための形態】
【００１６】
以下、本発明の実施の一形態について、図１〜図９に基づいて説明すれば、以下のとおりである。
【００１７】
本発明は、複数のデータを記憶し表示する手段を有するＰＣなどの情報処理装置全般に適用可能であり、さらに、ＰＨＳ（Personal Handy phone System）、携帯電話機、スマートフォン、電子手帳、ハンディターミナルなどのような、携帯型の情報処理装置にも好適に適用可能である。
【００１８】
〔スマートフォンの基本構成〕
図１は、本発明の一態様に係るスマートフォン１の要部構成の一例を示す機能ブロック図である。
【００１９】
スマートフォン１は、表示部２、表示制御部（予定結果収集手段）３、操作入力部４、各種アプリ部５、カレンダークロック６、スケジュールアプリ部７、および記憶部８を備えている。なお、スマートフォン１は、通信部、マイク、スピーカなど、電話機に必要な構成、およびデジタルカメラなどの構成を備えているが、これらの構成については、本発明の特徴点と直接関係がないため、ここではその説明を省略する。
【００２０】
各種アプリ部５は、スマートフォン１において各種アプリケーションソフトウェア（各種アプリ）の各機能を実行させる制御部であり、少なくともサムネイルデータ収集部５１を備えている。
【００２１】
スケジュールアプリ部７は、リンク部（リンク作成手段）７１、スケジュールデータ収集部（予定結果収集手段）７２、およびスケジュールデータ作成部（スケジュールデータ作成手段）７３を備えている。
【００２２】
また、記憶部８は、サムネイルデータ記憶部８１、リンクデータ記憶部８２、およびスケジュールデータ記憶部８３を備えている。
【００２３】
表示部２は、スマートフォン１の表示画面を構成し、サムネイルデータ、スケジュールデータ、およびリンクデータを表示制御部３から取得して、それぞれ所定の表示領域に表示する。この表示例については、後に詳述する。
【００２４】
ここで、サムネイルデータとは、デジタルカメラ（カメラアプリ）によって撮像された画像データ、ノートアプリなどに手書き入力されたイラストまたはメモデータ、など、各種のアプリによって取得あるいは作製された画像データを縮小して表示画面上に小さく表示する画像データである。スケジュールデータとは、ユーザがスケジュールアプリに入力する行動予定（スケジュール項目）についてのデータであり、スケジュールアプリ起動時に手書き入力されたメモなどのデータも含まれる。リンクデータとは、上記サムネイルデータと上記スケジュールデータとを関連付けて（リンクさせて、コネクトさせて）生成されたデータである。
【００２５】
なお、ここでは表示部２が、タッチ操作、および手書き操作を検知するタッチパネルが重畳された液晶ディスプレイである場合について記載する。
【００２６】
操作入力部４は、表示部２と一体に形成されており、表示画面へのタッチ操作による入力を受け付けるタッチパネルであり、ペン型の入力用器具などを用いて、表示部２の画面への直接の手書き操作による入力も受け付ける。
【００２７】
なお、操作入力部４は、キーボード、外部タッチセンサなどの操作による入力、あるいはマイクなどを介した音声入力など、任意の入力手段を用いるものであってよい。
【００２８】
表示制御部３は、記憶部８のサムネイルデータ記憶部８１に記憶されているサムネイルデータ、リンクデータ記憶部８２に記憶されているリンクデータ、およびスケジュールデータ記憶部８３に記憶されているスケジュールデータをそれぞれ取得する。そして、取得したスケジュールデータ、サムネイルデータ、およびリンクデータを、表示部２に送る。表示制御部３は表示部２において表示画像データをサムネイルデータ収集部（結果概略データ作成手段、予定結果収集手段）５１に送る。
【００２９】
サムネイルデータ収集部５１は、各種アプリの実行時に表示制御部３から取得した表示データからサムネイルデータを生成する。このとき、サムネイルデータ収集部５１は、サムネイルを生成した日付／時刻情報をカレンダークロック６に対して問い合わせ、該生成したサムネイルデータに日付／時刻情報を付加する。日付／時刻情報を付加されたサムネイルデータは記憶部８に送られ、サムネイルデータ記憶部８１に記憶される。
【００３０】
なお、各種アプリを用いて処理された後に保存されたデータを、サムネイルデータ収集部５１が取得して、当該データのサムネイルを生成してもよい（図示せず）。この場合には、当該データが最後に処理された日付／時刻情報を、生成したサムネイルデータに付加すればよい。
【００３１】
カレンダークロック６は、現在の日付／時刻を計測するカレンダー機能付きの時計である。
【００３２】
スケジュールアプリ部７は、スケジュールアプリの各機能をスマートフォン１に実行させるための制御部として機能し、操作入力部４からの指示を取得してスケジュール管理を行う。前述のように、スケジュールアプリ部７はさらに、リンク部７１、スケジュールデータ収集部７２、およびスケジュールデータ作成部７３を備えている。
【００３３】
スケジュールデータ作成部７３は、操作入力部４から入力された指示を取得し、その指示に基づいてスケジュールデータを作成する。
【００３４】
スケジュールデータ収集部７２は、スケジュールデータ作成部７３が作成したスケジュールデータを取得し、表示制御部３へ送る。また、スケジュールデータ収集部７２はスケジュールデータをスケジュールデータ記憶部８３に送る。
【００３５】
リンク部７１は、サムネイルデータ収集部５１の所定のサムネイルデータと、スケジュールデータ収集部７２の所定のスケジュールデータとを取得し、両データからリンクデータを生成する。生成したリンクデータは、表示制御部３、およびリンクデータ記憶部８２に送られる。
【００３６】
記憶部８は、（１）スマートフォン１の各部の制御プログラム、（２）ＯＳプログラム、（３）アプリケーションソフトウェア（アプリ）、および、（４）これらプログラムを実行するときに読み出す各種データ（スケジュール項目など）を記録する。ここでは、本発明の特徴点を説明するために必要な構成のみを記載している。なお、この記憶部８は、ハードディスク、フラッシュメモリなどの不揮発性の記憶装置によって構成される。
【００３７】
記憶部８は前述のように、少なくとも、サムネイルデータ記憶部８１、リンクデータ記憶部、およびスケジュールデータ記憶部８３を備えている。
【００３８】
サムネイルデータ記憶部８１は、サムネイルデータ収集部５１で生成された日付／時刻情報を付加されたサムネイルデータを記憶する。
【００３９】
リンクデータ記憶部８２は、リンク部７１で生成されたリンクデータを記憶する。
【００４０】
スケジュールデータ記憶部８３は、スケジュールデータ収集部７２が取得したスケジュールデータを記憶する。
【００４１】
〔実施例１〕
本発明の実施例について、図２に基づいて説明すれば、以下のとおりである。
【００４２】
図２は、スケジュールアプリを実行している、本発明の一態様に係るスマートフォン１の、ある１日のスケジュールを表示する表示画面（表示部２）の一例である。
【００４３】
図２に示す例では、１日表示モード（一日（２４時間）単位のスケジュール情報を表示する表示モード）が選択されたときの表示例を示している。このほかに、１週表示モードと１か月表示モードとがあり、各表示モードに合わせて、スケジュール情報が表示されることが望ましい。また、スケジュール情報を非表示にして、表示画面の全面を手書きノートとして使用可能な、手書きノートモードの選択も可能にしてもよい。これにより、紙媒体のスケジュール手帳が備えるメモ用ページのような利便性を提供することができる。
【００４４】
表示画面の左側上端の表示Ａによって、この画面が「２０１２年７月」についてのスケジュール情報を表示していることを示している。さらに、表示Ｄ「１６日（月）」によって、表示Ｄの下部に、２０１２年７月１６日の１日のスケジュール情報を表示していることを示している。
【００４５】
図２に示す表示例の表示画面は大きく分けて、サムネイル表示領域２１、スケジュール表示領域２２、およびノート領域２３という３つの表示領域から構成されている。なお、この構成は一例であり、スケジュールアプリの利便性に寄与する任意の構成でよい。
【００４６】
サムネイル表示領域２１は、サムネイルデータ収集部５１で生成されたサムネイル、およびサムネイルデータ記憶部８１に記憶されているサムネイルを、並べて表示する表示領域である。つまり、ユーザのスケジュールに関連付けられたデータ（行動記録、関連資料など）をユーザが一覧できる表示領域である。
【００４７】
スケジュール表示領域２２は、主にユーザの行動予定についてのスケジュール項目（予定されている行動の種類など）を、１日単位（２４時間）、１週間単位、あるいは１か月単位での表示モードにおいて、時系列に沿って表示する表示領域である。
【００４８】
ノート領域２３は、表示面に対する手書き操作によって、該操作が行われた軌跡（例えば、表示面に直接接触しながら移動した軌跡）を線で表示することで、任意の線・文字の入力が可能な表示領域である。
【００４９】
なお、サムネイル表示領域２１、スケジュール表示領域２２、およびノート領域２３を、互いに重なり合う表示領域として構成してもよい。特に、ノート領域２３にスケジュール表示領域２２が含まれることが好ましい。これにより、ユーザは表示されるスケジュール項目ごとに補足説明、またはコメントを手書き入力によって簡単に書き加えることができる。よって、スケジュール管理を、より好適に行うことができる。
【００５０】
まず、一番左側はサムネイル表示領域２１であり、サムネイル表示領域２１の、表示Ｄの下部には、２０１２年７月１６日に生成されたすべてのサムネイルＥが、サムネイル生成を行った日付／時刻情報Ｆとともに一覧表示されている。ここに示した例では、８：５０、１７：２１、１８：３６、１９：３２の日付／時刻情報が付加されたサムネイルが、上から下へ時系列順に表示されている。
【００５１】
図２では、表示画面の下端に５つ目のサムネイル（１９：３２以降に処理されたデータ）が表示されている。このように、サムネイル表示されるデータが多い場合には、表示画面内に全てのサムネイルＥが表示できないため、サムネイルの一覧性が十分に活用できないことが考えられる。
【００５２】
このような不便を解決するために、スケジュール表示領域２２に表示されたスケジュール項目Ｇ／Ｈ、あるいはノート領域２３に書き込まれた所望の手書き入力情報Ｊと、所望のサムネイルＥとのリンクデータを生成し、当該リンクデータを表示することが好ましい。これにより、所望のリンクデータをユーザが選択すれば、選択されたリンクデータ以外のサムネイルの表示を（１）重ねてコンパクトに表示する、あるいは、（２）非表示にすることができる。よって、大量のサムネイルの中から、ユーザは所望の手書き入力情報に関連するサムネイルのみを簡単に選択し、閲覧することができる。上記（１）、および（２）については、後に詳述する。
【００５３】
次に、上記サムネイル表示領域２１に隣接する右側には、スケジュール表示領域２２があり、主にユーザの行動予定についてのスケジュール項目などが、１日単位（２４時間表示）での表示モードにおいて、時系列に沿って表示されている。ここでは、１０時から１５時にスケジュール項目Ｇ「歯医者」と、８−９時および１７−２３時にスケジュール項目Ｈ（知人・歯医者に電話連絡をすべき時間帯、帰宅予定など）が表示されている。
【００５４】
表示Ｄの右側に、その１日に予定されているスケジュール情報を要約して表示してもよい。図２の例では、２０１２年７月１６日の１日のスケジュール情報として表示されているスケジュール項目Ｇ、およびスケジュール項目Ｈをまとめて、表示Ｃのように表示している。これにより、ユーザは、どれだけの行動予定が計画されている１日なのかを一目で理解することができる。
【００５５】
また、図２の例では、表示Ｃのさらに右側に、月単位のカレンダー表示へのショートカットＢも表示されている。これは、１日単位のスケジュール表示モードで利用するユーザに対しては、対応する１か月のカレンダーを容易にチェックできることで、スケジュールアプリの利便性が向上するからである。
【００５６】
次に、上記スケジュール表示領域２２に隣接するさらに右側には、ノート領域２３があり、ユーザによる手書き操作によって入力された「重要」「Ｓｈｏｐｐｉｎｇ」などの手書き入力情報Ｊ、および矢印、マークなどを表示している。例えば、手書き入力情報Ｊの「重要」は、スケジュール項目Ｇの「歯医者」に対して、ユーザが書き加えた情報である。
【００５７】
この構成によれば、本発明の一態様に係るスマートフォン１は、ユーザのスケジュール情報とともに、日時／時刻情報が一致するサムネイルの一覧を表示する。この表示を参照することにより、ユーザは、或る日時における当該ユーザの行動予定（スケジュール）と、当該日時におけるアプリの実行結果の概略とを直ちに把握することができる。その結果、スケジュールアプリを実行するスマートフォン１のユーザは、対応するスケジュール表示を参照しながら、過去にユーザが作成したデータの概略イメージを閲覧しながら、所望のデータを検索・選択することができる。
【００５８】
また、リンク部７１が作成したリンクデータが表示されることにより、或る日時における行動予定と、当該日時におけるアプリの実行結果の概略との関連性を直ちに把握することができる。
【００５９】
〔スマートフォン１の動作の流れ〕
本発明の一態様に係るスマートフォン１において、各種アプリを起動してからサムネイルデータを保存するまでの動作の流れ、およびスケジュールアプリを起動してからサムネイルとスケジュール情報とを表示するまでの動作の流れについて、以下に説明する。
【００６０】
図３は、本発明の一態様に係るスマートフォン１において、各種アプリを起動してからサムネイルデータを保存するまでの各動作の流れを示すフローチャートである。
【００６１】
まず、各種アプリ（例えば、デジタルカメラによる撮像データを表示・加工するアプリ、手書きアプリ、など任意のアプリ）を起動する（ステップ１０１、以後Ｓ１０１のように略す）。
【００６２】
該アプリにより、データ（デジタルカメラによって撮像された画像データ、ノートアプリなどに手書き入力されたイラストまたはメモデータ、などのデータ）を表示し（Ｓ１０２）、該データに所望の処理を加えたデータを作製し、保存する（Ｓ１０３）。
【００６３】
各種アプリ部５のサムネイルデータ収集部５１は、各種アプリの実行中に保存されたデータに、日付／時刻情報を付加して、サムネイルを生成する（Ｓ１０４）
あるいは、各種アプリ部５のサムネイルデータ収集部５１は、各種アプリの実行中に表示した表示画面のサムネイルを生成し、これに日付／時刻情報を付加してもよい。
【００６４】
サムネイルデータ収集部５１は、日付／時刻情報が付加されたサムネイルデータを、サムネイルデータ記憶部８１に記憶する（Ｓ１０５）。
【００６５】
このように、スマートフォン１は、各種アプリを実行中に作製されたデータに、該データが表示された、あるいは作製・保存された日付／時刻情報を付加して記憶する。
【００６６】
次に、図４を用いて、本発明の一態様に係るスマートフォンにおいて、スケジュールアプリを起動してから、サムネイルデータとスケジュール情報とを表示するまでの各動作の流れを説明する。
【００６７】
まず、スケジュールアプリを起動する（Ｓ２０１）。
【００６８】
表示制御部３は、表示部２において表示する、（１）サムネイルデータ記憶部８１に記憶されているサムネイルデータ、（２）スケジュールデータ記憶部に記憶されているスケジュールデータ、を読み出す（Ｓ２０２）。（１）、（２）の各データを、対応する表示領域（図２のサムネイル表示領域２１、スケジュール表示領域２２、ノート領域２３）に表示する（Ｓ２０３）。
【００６９】
表示されているサムネイルの中の所望のサムネイルデータおよびスケジュールデータが選択される（Ｓ２０４）。リンク部７１は、サムネイルデータ収集部５１とスケジュールデータ収集部７２とから、それぞれ該当するサムネイルデータとスケジュールデータとを取得し、リンクデータを生成する（Ｓ２０５）。
【００７０】
生成されたリンクデータは、表示制御部３に送られて表示部２において表示される（Ｓ２０６）。また、生成されたリンクデータは、リンク部７１からリンクデータ記憶部８２に送られて記憶される（Ｓ２０７）。
【００７１】
このように、スマートフォン１は、各種アプリを実行して表示（あるいは作製・保存）されたデータのサムネイルデータを、スケジュールアプリ実行中の画面において、日付／時刻情報に対応するスケジュール情報と共に表示する。
【００７２】
同様にして、所望のサムネイルデータと、該サムネイルデータと関連するスケジュールデータとのリンクデータを生成して、表示することも可能である。
【００７３】
なお、スケジュールアプリ起動時において、手書き入力データを、上記サムネイルデータ、およびスケジュールデータと共に表示するようにしてもよい。これにより、サムネイルデータ、およびスケジュールデータについて、ユーザが所望の情報を付記することができるため、利便性を向上させることができる。
【００７４】
〔実施例２〕
ここでは、生成されたリンクデータの好適な使用例について、実施例２として説明する。
【００７５】
図５は、スケジュールアプリを実行しているスマートフォン１が、スケジュール表示画面の例である。図２に示す例と同様に、図５は、１日単位のスケジュール情報を表示するモードが選択されたときの表示例を示している。
【００７６】
ここでは、例えば、表示されているサムネイルＥ１と、サムネイルＥ１に対して（関連して）入力されたノート領域２３の手書き入力情報Ｊ１「Ｃｈｅｃｋ」とのリンクデータを生成し表示することを利用して、サムネイル表示領域２１の一覧性と有効性とを確保するために、フィルタリングを用いたサムネイルの表示例について、図５〜８を用いて説明する。
【００７７】
図５の例は、サムネイルＥ１と手書き入力情報Ｊ１とのリンクデータが表示されている。一方、他の表示されているサムネイルは、手書き入力情報Ｊ１とのリンクデータではなく、また、表示されている他のスケジュール項目、あるいは手書き入力情報は、サムネイルＥ１とのリンクデータではない。
【００７８】
図６、および図７は、サムネイルＥ１と手書き入力情報Ｊ１とのリンクデータがユーザによって指定されたときの、サムネイルの表示例をそれぞれ示している。
【００７９】
リンクデータの指定方法としては、（１）サムネイルＥ１を指定、（２）手書き入力情報Ｊ１を指定、（３）日付／時刻情報「８：５０」を指定などが適用できる。
【００８０】
図６では、サムネイルＥ１と手書き入力情報Ｊ１とのリンクデータ以外のサムネイルＥ２を、一部を視認できるようにずらした状態で重ねて表示している。
【００８１】
図７では、サムネイルＥ１と手書き入力情報Ｊ１とのリンクデータ以外のサムネイルＥ２を、すべて非表示としている。
【００８２】
このようにして、リンクデータを指定することにより、サムネイル表示領域２１に表示されるサムネイルデータが多い場合にも、所望のサムネイルのみを表示することができ、ユーザによるサムネイルの参照が容易になる。
【００８３】
スケジュール項目（図２のＧ、Ｈ）を指定することで、そのスケジュール項目が示す時間帯に属する日付／時刻情報を付加されているサムネイルのみが表示されるようにしてもよい。具体的には、図７のスケジュール表示領域２２において、８時−９時までの縦線で表示されているスケジュール項目を指定すると、８時−９時の時間帯に属する日付／時刻情報「８：５０」が付加されているサムネイルＥ１のみが表示される。
【００８４】
図５〜図７では、サムネイルＥ１あるいは手書き入力情報Ｊ１を選択することで、リンクデータが指定された場合を例示したが、リンクデータはこの例に限定されない。すなわち、所望のサムネイルデータと、該サムネイルデータと関連するスケジュールデータとのリンクデータを生成して、表示することも可能である。この点について、図８を参照して説明する。
【００８５】
図８には、ユーザがノートアプリにより歯医者の電話番号、あるいは夕方に診察を受けた歯医者に電話連絡すべきことを備忘録として入力した「Ｔｅｌ」というメモデータの画像のサムネイルＥ３が、サムネイル表示領域２１に表示されている。例えば、このサムネイルＥ３と、サムネイルＥ３に対応するスケジュール項目Ｇ３「歯医者」とのリンクデータを生成することも可能である。そして、このサムネイルＥ３とスケジュール項目Ｇ３とのリンクデータも、図６、および図７に示した例と同様に、好適に使用することができる。
【００８６】
なお、スケジュール情報（スケジュール項目、あるいは手書き入力情報）が入力された時間帯（あるいは時刻）と、サムネイルに付加された日付／時刻情報（サムネイルＥ１の例では「８：５０」）とを用いてリンクデータを生成してもよい。これにより、スケジュール項目が示す時間帯に含まれる、あるいは一致する日付／時刻情報が付加されているサムネイルのみを表示させることが可能となる。よって、ユーザは所望のサムネイルデータを容易に検索することができる。
【００８７】
〔実施例３〕
図９は、スケジュールアプリを実行しているスマートフォン１が、１週間のスケジュールを表示する表示画面の一例である。
【００８８】
スケジュール情報の表示モードを１週間単位にして利用するときには、日付表示Ｐから数えて７日間のスケジュール表示領域２２が並列しており、各日のスケジュール項目Ｑ・Ｒ、および手書き入力情報Ｓが表示される。
【００８９】
図９では、２０１２年７月１６日（月）からの７日間のスケジュールが表示されている例が示されている。
【００９０】
日付表示Ｐの下部で２４時間表示された領域の上部には、図２における表示Ｃに対応する表示Ｖが表示されている。表示Ｖでは、１６日、および１７日に示すように、表示されているスケジュール項目の合計数を表示してもよいし、あるいは、２１日に示すように主たるスケジュール項目名（この例では「同窓会」）を表示するようにしてもよい。
【００９１】
スケジュール表示領域の下方にサムネイル表示領域がある。図２で説明したように、サムネイル表示領域では、表示されている１週間に対応する日付／時刻情報Ｕを付加されたサムネイルＴと、該付加されている日付／時刻情報Ｕを表示する。
【００９２】
なお、表示するべき１週間分のサムネイルの量が多い場合には、図６のサムネイルＥ２に示したように、各日（図９の例では７月１６日の月曜日からの７日）に関連するサムネイルをまとめて表示してもよい。このようにすれば、ユーザは所望のサムネイルが帰属する日を容易に知ることができる。
【００９３】
１か月単位の表示モードにおいては、例えば、１か月のカレンダー表示の各日に対応する表示領域に、図２の表示Ｃ、あるいは図９の表示Ｖのように、記憶されているスケジュール項目の数、主なスケジュール項目名などを表示することが望ましい。
【００９４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００９５】
〔ソフトウェアによる実現例〕
最後に、スマートフォン１の各ブロック、特に表示制御部３、各種アプリ部５のサムネイルデータ収集部５１、スケジュールアプリ部７のリンク部７１、スケジュールデータ収集部７２、およびスケジュールデータ作成部７３は、集積回路（ＩＣチップ）上に形成された論理回路によってハードウェア的に実現してもよいし、ＣＰＵ（Central Processing Unit）を用いてソフトウェア的に実現してもよい。
【００９６】
後者の場合、スマートフォン１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるスマートフォン１の制御プログラムのプログラムコード（実行形式プログラム、中間コードプログラム、ソースプログラム）をコンピュータで読み取り可能に記録した記録媒体を、上記スマートフォン１に供給し、そのコンピュータ（またはＣＰＵやＭＰＵ）が記録媒体に記録されているプログラムコードを読み出し実行することによっても、達成可能である。
【００９７】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００９８】
また、スマートフォン１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９９】
〔まとめ〕
本発明の一態様に係る情報処理装置（スマートフォン１）は、情報を記憶する記憶部（記憶部８）を備える情報処理装置であって、上記課題を解決するために、該記憶部は、或る時点と、当該時点でのユーザの行動予定を示す情報とを対応付けたスケジュールデータ（スケジュール項目Ｇ・Ｇ３・Ｈ、手書き入力情報Ｊ・Ｊ１）を記憶しており、前記ユーザからの指示により、或る時点にて前記情報処理装置が実行した結果を概略的に示す情報と当該時点とを対応付けた結果概略データ（サムネイルデータ、サムネイルＥ・Ｅ１・Ｅ２・Ｅ３）を作成して、前記記憶部に記憶する結果概略データ作成手段（サムネイルデータ収集部５１）と、前記ユーザが指定した時間帯に該当するスケジュールデータおよび結果概略データを前記記憶部から収集して出力する予定結果収集手段（表示制御部３）とを備えている。
【０１００】
また、本発明の一態様に係る情報処理装置の制御方法は、或る時点と、当該時点でのユーザの行動予定を示す情報とを対応付けたスケジュールデータが記憶された記憶部を備える情報処理装置の制御方法であって、上記課題を解決するために、前記ユーザからの指示により、或る時点にて前記情報処理装置が実行した結果を概略的に示す情報と当該時点とを対応付けた結果概略データを作成して、前記記憶部に記憶する結果概略データ作成ステップ（Ｓ１０５）と、前記ユーザが指定した時間帯に該当するスケジュールデータおよび結果概略データを前記記憶部から収集して出力する予定結果収集ステップ（Ｓ２０３）とを含んでいる。
【０１０１】
上記の構成および方法によると、或る時点と、当該時点でのユーザの行動予定を示す情報とを対応付けたスケジュールデータが記憶部に記憶される。それから、前記ユーザからの指示により、或る時点にて或る処理を情報処理装置が実行すると、実行した結果を概略的に示す情報と当該時点とを対応付けた結果概略データが作成されて記憶部に記憶される。そして、前記ユーザが指定した時間帯に該当するスケジュールデータおよび結果概略データが前記記憶部から収集されて出力される。この出力結果を参照することにより、前記ユーザは、前記時間帯における当該ユーザの行動予定と、前記時間帯における当該情報処理装置の実行結果の概略とを直ちに把握することができる。
【０１０２】
なお、前記情報処理装置が実行した結果の例としては、当該情報処理装置が有する撮像デバイスによる撮影の結果、作成される撮影画像、当該情報処理装置が有する電子メールの送信機能の実行により、送信されたメールの内容、などが挙げられる。
【０１０３】
また、前記スケジュールデータおよび前記結果概略データの出力は、前記情報処理装置の内部または外部の表示デバイスを介しての表示でもよいし、前記情報処理装置の内部または外部の印刷デバイスを介しての印刷でもよい。
【０１０４】
本発明の一態様に係る情報処理装置では、前記ユーザからの指示により、前記スケジュールデータの何れかと、前記結果概略データの何れかとを関連付けたリンクデータを作成して、前記記憶部に記憶するリンク作成手段（リンク部７１）をさらに備えており、前記予定結果収集手段は、収集されたスケジュールデータおよび結果概略データの少なくとも一方に該当するリンクデータをさらに収集して出力してもよい。この場合、ユーザは、前記時間帯における当該ユーザの行動予定と、前記時間帯における当該情報処理装置の実行結果の概略との関連性を直ちに把握することができる。
【０１０５】
なお、前記予定結果収集手段は、収集した結果概略データのうち、設定された条件に非該当である複数の結果概略データを、１つの結果概略データに簡略化して出力してもよい。また、前記予定結果収集手段は、収集した結果概略データのうち、設定された条件に非該当であるものについて、出力を省略してもよい。
【０１０６】
これらの場合、出力される結果概略データが少なくなるので、ユーザによる結果概略データの参照が容易になる。なお、前記設定された条件の例としては、前記リンク情報により同一の前記スケジュールデータに関連付けられた結果概略データ、撮影画像、手書き画像などの結果概略データの種類、時間帯、などが挙げられる。
【０１０７】
なお、前記スケジュールデータを作成して前記記憶部に記憶するスケジュール作成手段（スケジュールデータ収集部７２、スケジュールデータ作成部７３）をさらに備えてもよい。また、前記結果概略データは、前記情報処理装置の実行中に作成してもよいし、実行後に、実行の結果生成された結果データから生成してもよい。また、前記行動予定を示す情報は、所定のフォーマットで格納されたデータであってもよいし、手書きの画像であってもよい。また、前記情報処理装置が実行した結果を概略的に示す情報の例としては、当該実行の結果により作成または表示される画像のサムネイル画像が挙げられる。また、前記スケジュールデータには、前記行動予定に対する付加情報（例えば、「重要」、「Ｃｈｅｃｋ」などの手書き画像）が含まれてもよい。
【０１０８】
なお、上記情報処理装置の各手段を、制御プログラムによりコンピュータ上で実行させることができる。さらに、上記制御プログラムを、コンピュータ読取り可能な記録媒体に記憶させることにより、任意のコンピュータ上で当該制御プログラムを実行させることができる。
【産業上の利用可能性】
【０１０９】
本発明は、ユーザが指定した時間帯に該当するスケジュールデータおよび結果概略データが記憶部から収集されて出力され、この出力結果を参照することにより、前記ユーザは、前記時間帯における当該ユーザの行動予定と、前記時間帯における当該情報処理装置の実行結果の概略とを直ちに把握できるので、スマートフォンなどの携帯型情報端末以外にも、任意の情報処理装置に適用することができる。
【符号の説明】
【０１１０】
１    スマートフォン（情報処理装置）
２    表示部
３    表示制御部（予定結果収集手段）
４    操作入力部
５    各種アプリ部
６    カレンダークロック
７    スケジュールアプリ部
８    記憶部
２１  サムネイル表示領域
２２  スケジュール表示領域
２３  ノート領域
５１  サムネイルデータ収集部（結果概略データ作成手段、予定結果収集手段）
７１  リンク部（リンク作成手段）
７２  スケジュールデータ収集部（予定結果収集手段）
７３  スケジュールデータ作成部（スケジュールデータ作成手段）
８１  サムネイルデータ記憶部
８２  リンクデータ記憶部
８３  スケジュールデータ記憶部
【図１】
2014071537.tif 000003
【図２】
2014071537.tif 000004
【図３】
2014071537.tif 000005
【図４】
2014071537.tif 000006
【図５】
2014071537.tif 000007
【図６】
2014071537.tif 000008
【図７】
2014071537.tif 000009
【図８】
2014071537.tif 000010
【図９】
2014071537.tif 000011